(57)【要約】      （修正有）【課題】従来の上掛け寝具は長方形の布団、毛布、タオルケットなどを使用しているが、上半身を適温にあわせると、下半身が寒い、下半身を適温にあわせると、上半身が暑い。この上半身と下半身の体温の差を少なくして、下半身の冷えを解消し、快適な安眠がとれる寝具を提供する。【解決手段】従来の上掛け寝具を横に三つ折りにして折りたたみ、裾部分を、縫製、ファスナー他を施し、裾よりの外気の流入を防止する。この上掛け寝具を、敷きパットに、紐で結び、収納する事により、外気の流入防止の効果を高め、寝具のズレ止めを図る。本考案の上掛け寝具と敷きパットの効果により、下半身部分の外気が流入を防止される事で、下半身の体温が上昇し、上半身との体温の差が少なくなり、下半身の冷えを解消し、膝痛、腰痛の軽減、快適な安眠がえられる。【選択図】図４
0003128702.tif 000002
【実用新案登録請求の範囲】
【請求項１】
従来の上掛け寝具の横方向を三つ折りにして、裾下部を止め、外気の流入を防ぐ事を目的にした上掛け寝具。
【請求項２】
上掛け寝具の裾下部を止める手段としては、縫製、ファスナー、マジックテープ。ボタン、紐、ループ掛け等。
【請求項３】
上掛け寝具の裾下部の止め方、直線形に止める。
【請求項４】
上掛け寝具の裾下部の止め方、あて布を使用して丸形に止める。
【請求項５】
上掛け寝具の裾下部の止め方、あて布を使用して四角形に止める。
【請求項６】
本考案の上掛け寝具の裾左右の紐と、本考案の敷きパット裾左右の紐で結び、外気の流入を防止し、上掛け寝具のズレ止めを、目的にした敷きパット。
【考案の詳細な説明】
【技術分野】
【０００１】本考案は従来の、上掛け寝具の形状を、変える事によって下半身の、体温上昇を図り、上半身と下半身の体温のバランスを良くする、上掛け寝具と、上掛け寝具のズレをとめる敷パットに関するものである。
【背景技術】
【０００２】従来の上掛け寝具は寝ている時、上半身は温かく、下半身は冷たい。体温は血液の流れの多い、心臓に近い上半身は高く、血液の流れが少ない下半身は低い。布団、毛布、タオルケット、など保温の為に掛けるが、上半身に合わせて掛ければ、下半身は寒く、下半身に合わせれば、上半身が暑い。通常は上半身に合わせて、掛けているので、下半身の寒さに、湯タンポ、電気毛布などを使用しているが、寝具内の温度を適温にすることは難しい。
【考案の開示】
【考案が解決しようとする課題】
【０００３】従来の上掛け寝具、長方形の布団、毛布、タオルケットなどを使用しているが、上半身を適温にあわせると、下半身が寒い、下半身を適温にあわせると、上半身が暑い。この上半身と下半身の体温の差を少なくして、下半身の冷えを解消し、快適な安眠がとれる寝具を提供する。
【課題を解決するための手段】
【０００４】従来の上掛け寝具を三つ折りに折りたたみ図５、裾部分を、縫製、ファスナー、マジックテープ、ボタン、紐、ループ掛けを施し図６、裾よりの外気の流入を防止する。この本考案の上掛け寝具図１を、本考案の敷きパット図２に、紐で結び図３、収納図４することにより、下半身部分の外気の流入防止の効果を高め、寝具のズレ止めを図る。本考案の上掛け寝具と敷きパットの効果により、下半身部分の外気が流入を防止される事で、下半身の体温が上昇し、上半身との体温差が少なくなり、下半身の冷えを解消し、膝痛、腰痛の軽減、快適な安眠がえられる。又従来の上掛け寝具は、寝返り横向きになった時、上半身にも下半身にも外気が、上掛け寝具に流入してしまうが、本考案の上掛け寝具は、裾部分を敷きパットと紐で結ばれて、下半身部分の上掛け寝具は三つ折り状態になっているので、外気は流入しない。従来の上掛け寝具の横断面図１０、上頭側断面図１１、下裾側断面図１２と、本考案との違いは、上頭側断面図１４は同じだが、横断面図１３、下裾側断面図１５は足の周囲の空間は少ないので体温の上昇が早い。
【考案の効果】
【０００５】本考案の上掛け寝具と敷きパットを使用することにより、下半身の体温が上昇し、上半身との体温の差が少なくなり、全身の体温バランスが良くなり、下半身の冷えの解消で、病気の予防、膝痛、腰痛の軽減、安眠が得られる。
【考案を実施するための最良の形態】
【０００６】本考案は上掛け寝具と敷きパットからなる。上掛け寝具図１を敷きパット図２の上に置き、上掛け寝具と敷きパットを紐で結び図３、収納しファスナーを閉じ図４、使用する。上掛け寝具の枚数は、布団、毛布、タオルケットなど上半身が適温になる様に調整し、一番内側から外側に紐を、通して敷きパットの紐と結ぶ。
【実施例】
【０００７】通常の使用は、上半身が適温になる様に上掛け寝具の厚さと枚数を組み合わせるのは、従来の寝具と同様である。就寝時に寒さを感じたときは、三つ折りされた寝具の左右を、体の横まで引き寄せ密着すれば体温の上昇が早まる。全身が暑さを感じた時は、内側から上掛け寝具を一枚ずつ必要枚数を足を抜いて、横に寄せて体温を下げる。また体温が下がり過ぎた時は裾部分が固定されているので元に戻すのは簡単にできる。
【産業上の利用可能性】
【０００８】人体の構造上生命を守るため、脳と内臓がある上半身に心臓が血液を循環させるが、下半身に送られた血液は、両足のふくらはぎの収縮で循環している。その為心臓に近い血液の循環が良い上半身の体温は高くなり、血液の循環の悪い下半身は体温が低くなる。従来の上掛け寝具は上半身も下半身も同じ形状なので、上半身を適温すれば下半身が寒く、下半身を適温にすれば上半身が暑いのが現状である。そこで上半身が適温の上掛け寝具を図１の形状にし、敷きパット図２に紐で結び図３セット図４することにより、下半身部分の上掛け寝具は三つ折り状態で外気が入らず、下半身との密着度が高いので、下半身の体温は上昇し、上半身の体温に近ずく。下半身の体温は血液の循環によって上昇したものだから、上半身の体温を超えることはない。下半身の冷え解消は、病気の予防、膝痛、腰痛の軽減、安眠が得られる。
【図面の簡単な説明】
【０００９】
【図１】  本考案の上掛け寝具の斜視図である。
【図２】  本考案の敷きパットの斜視図である。
【図３】  本考案の敷きパットに上掛け寝具を紐で固定した斜視図である。
【図４】  本考案の使用斜視図である。
【図５】  従来の上掛け寝具を三つ折りにした下面斜視図である。
【図６】  本考案の上掛け寝具の裾部分を直線形に閉じた下面斜視図である。
【図７】  本考案の上掛け寝具の裾部分を直線形に閉じた断面図である。
【図８】  本考案の上掛け寝具の裾部分を円形に閉じた断面図である。
【図９】  本考案の上掛け寝具の裾部分を四角形に閉じた断面図である。
【図１０】  従来の上掛け寝具を使用した横側断面図である。
【図１１】  従来の上掛け寝具を使用した上頭側断面図である。
【図１２】  従来の上掛け寝具を使用した下裾側断面図である。
【図１３】  本考案の上掛け寝具を使用した横側断面図である。
【図１４】  本考案の上掛け寝具を使用した上頭側断面図である。
【図１５】  本考案の上掛け寝具を使用した下裾側断面図である。
【符号の説明】
【００１０】    １：  紐通し穴
２：  上掛け寝具の紐
３：  あて布
４：  敷きパットの紐
５：  枕
【図１】
0003128702.tif 000003
【図２】
0003128702.tif 000004
【図３】
0003128702.tif 000005
【図４】
0003128702.tif 000006
【図５】
0003128702.tif 000007
【図６】
0003128702.tif 000008
【図７】
0003128702.tif 000009
【図８】
0003128702.tif 000010
【図９】
0003128702.tif 000011
【図１０】
0003128702.tif 000012
【図１１】
0003128702.tif 000013
【図１２】
0003128702.tif 000014
【図１３】
0003128702.tif 000015
【図１４】
0003128702.tif 000016
【図１５】
0003128702.tif 000017
【手続補正書】
【提出日】平成18年5月17日(2006.5.17)
【手続補正１】
【補正対象書類名】実用新案登録請求の範囲
【補正対象項目名】請求項１
【補正方法】変更
【補正の内容】
【請求項１】
従来の上掛け寝具布団、毛布、タオルケット、カバーの横方向を三つ折りにして、裾下部を止め、外気の流入を防ぐ事を目的にした上掛け寝具。
【手続補正２】
【補正対象書類名】明細書
【補正対象項目名】００１０
【補正方法】変更
【補正の内容】
【００１０】１：  紐通し穴
２：  上掛け寝具の紐
３：  あて布
４：  敷きパットの紐
【手続補正３】
【補正対象書類名】図面
【補正対象項目名】図１
【補正方法】変更
【補正の内容】
【図１】
0003128702.tif 000018
【手続補正４】
【補正対象書類名】図面
【補正対象項目名】図２
【補正方法】変更
【補正の内容】
【図２】
0003128702.tif 000019
【手続補正５】
【補正対象書類名】図面
【補正対象項目名】図８
【補正方法】変更
【補正の内容】
【図８】
0003128702.tif 000020
【手続補正６】
【補正対象書類名】図面
【補正対象項目名】図９
【補正方法】変更
【補正の内容】
【図９】
0003128702.tif 000021
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
上掛け寝具布団、毛布、タオルケット、カバーの横方向を下側に三つ折りにして、裾下部を止め、裾の左右に紐をつけ、敷きパット裾部分に三つ折りした上掛け寝具の裾幅位置、左右に紐をつけ、上掛け寝具の紐と結び固定することにより、外気の流入を防ぎ上掛け寝具のズレ止めを目的にした上掛け寝具と敷きパット。
【手続補正２】
【補正対象書類名】明細書
【補正対象項目名】０００４
【補正方法】変更
【補正の内容】
【０００４】従来の上掛け寝具を三つ折りに折りたたみ図５、裾部分を、縫製、ファスナー、面ファスナー、ボタン、紐、ループ掛けを施し図６、裾よりの外気の流入を防止する。この本考案の上掛け寝具図１を、本考案の敷きパット図２に、紐で結び図３、収納図４することにより、下半身部分の外気の流入防止の効果を高め、寝具のズレ止めを図る。本考案の上掛け寝具と敷きパットの効果により、下半身部分の外気が流入を防止される事で、下半身の体温が上昇し、上半身との体温差が少なくなり、下半身の冷えを解消し、膝痛、腰痛の軽減、快適な安眠がえられる。又従来の上掛け寝具は、寝返り横向きになった時、上半身にも下半身にも外気が流入してしまうが、本考案の上掛け寝具と敷きパットは、裾部分を紐で固定されて下半身部分の上掛け寝具は三つ折り状態なので外気は流入しない。従来の上掛け寝具の横断面図１０、上頭側断面図１１、下裾側断面図１２と、本考案との違いは上頭側断面図１４は同じだが、横断面図１３、下裾側断面図１５は下半身の空間が少ないので体温の上昇が早い。